(57)【特許請求の範囲】
【請求項１】
設定されている動作条件の内容を示す条件内容表示および当該動作条件の設定項目名を示す項目名表示を相互に関連付けて表示する動作条件表示を、測定結果表示に重ねて、または当該測定結果表示と並べて、当該測定結果表示と共に表示部に表示させる表示制御部を備えた測定装置であって、
前記表示制御部は、前記測定結果表示と共に前記動作条件表示を前記表示部に表示させている状態において前記動作条件が変更されたときに、変更後の当該動作条件に対応させて前記条件内容表示を表示替えすると共に、当該動作条件が変更されたことを報知する報知表示を当該測定結果表示および当該動作条件表示と共に当該表示部に表示させる測定装置。
【請求項２】
前記表示制御部は、前記動作条件が変更されて前記報知表示を表示させている状態において当該動作条件が当該報知表示を表示させる前の前記動作条件に戻されたときに当該報知表示の表示を終了する請求項１記載の測定装置。
【請求項３】
前記表示制御部は、前記報知表示として、前記測定結果表示および前記動作条件表示の少なくとも一方を前記動作条件が変更されていないときの第１の表示態様とは相違する第２の表示態様で表示させる請求項１または２記載の測定装置。
【請求項４】
前記表示制御部は、複数の前記動作条件に関する複数の前記項目名表示および複数の前記条件内容表示を前記動作条件表示として表示させている状態において当該複数の動作条件のいずれかが変更されたときに、当該複数の項目名表示のうちの当該いずれかの動作条件に対応する当該項目名表示、および当該複数の条件内容表示のうちの当該いずれかの動作条件に対応する当該条件内容表示の少なくとも一方を前記報知表示として前記第２の表示態様で表示させる請求項３記載の測定装置。
【請求項５】
設定されている動作条件の内容を示す条件内容表示および当該動作条件の設定項目名を示す項目名表示を相互に関連付けて表示する動作条件表示を、測定結果表示に重ねて、または当該測定結果表示と並べて、当該測定結果表示と共に表示部に表示させている状態において当該動作条件が変更されたときに、変更後の当該動作条件に対応させて前記条件内容表示を表示替えすると共に、当該動作条件が変更されたことを報知する報知表示を当該測定結果表示および当該動作条件表示と共に当該前記表示部に表示させる測定結果表示方法。
【請求項６】
前記動作条件が変更されて前記報知表示を表示させている状態において当該動作条件が当該報知表示を表示させる前の前記動作条件に戻されたときに当該報知表示の表示を終了する請求項５記載の測定結果表示方法。
【発明の詳細な説明】
【技術分野】
【０００１】
本発明は、測定結果表示と共に動作条件表示を表示させる測定装置および測定結果表示方法に関するものである。
【背景技術】
【０００２】
この種の測定結果表示方法に従って測定結果を表示可能な測定装置として、出願人は、波形表示部および設定条件表示部を信号波形表示画面内に並べて表示可能な波形表示装置を下記の特許文献に開示している。この場合、出願人が開示している波形表示装置では、測定処理によって取得した所定時間分のサンプリングデータに基づく信号波形を表示する波形表示領域が波形表示部内に規定されると共に、いずれの時点におけるサンプリングデータに基づく信号波形を波形表示領域に表示させているかを示す表示位置ゲージを波形表示部内に表示させる構成が採用されている。また、出願人が開示している波形表示装置では、サンプリングデータの測定条件やサンプリングデータに基づく信号波形の表示条件など（以下、「測定条件」や「表示条件」を総称して「動作条件」ともいう）の設定値を表示する複数の表示領域が設定条件表示部内に規定されている。
【０００３】
具体的には、設定条件表示部には、波形表示領域に信号波形を表示させる際の時間軸レンジに関する設定値が表示される時間軸レンジ設定領域、サンプリングデータの記録長に関する設定値が表示される記録長設定領域、トリガモードの設定値が表示されるトリガモード設定領域、測定部における「ＣＨ１」の動作条件に関する設定値が表示されるＣＨ１動作条件設定領域、および測定部における「ＣＨ２」の動作条件に関する設定値が表示されるＣＨ２動作条件設定領域などが規定されている。また、出願人が開示している波形表示装置では、設定条件表示部における上記の各領域に最新の設定値が表示されると共に、表示されている設定値を任意の設定値に変更することで、波形表示部（波形表示領域）に信号波形を表示させたままの状態で上記の各動作条件を新たな動作条件に変更することが可能となっている。
【０００４】
これにより、出願人が開示している波形表示装置では、例えば測定処理の実行後（サンプリングデータの取得後）に波形表示部に表示された信号波形を見た利用者が、意図した動作条件での測定処理が実行されなかったと考えたときに、波形表示部に表示されている信号波形を参照しつつ、設定条件表示部の各領域に表示されている設定値を任意の新たな設定値に変更することが可能となっている。このため、利用者が意図する新たな動作条件に従って測定処理（サンプリングデータの取得）を速やかに開始することが可能となっている。
【先行技術文献】
【特許文献】
【０００５】
【特許文献１】特開２００９−１１５５６９号公報（第５−１３頁、第１−１０図）
【発明の概要】
【発明が解決しようとする課題】
【０００６】
ところが、出願人が開示している波形表示装置およびその波形表示方法には、以下の改善すべき課題が存在する。すなわち、出願人が開示している波形表示装置およびその波形表示方法（以下、単に「出願人が開示している装置・方法」ともいう）では、波形表示部および設定条件表示部を信号波形表示画面内に並べて表示させると共に、設定条件表示部に表示されている各動作条件についての設定値を変更することで新たな動作条件に変更する（新たな動作条件を設定する）ことができる構成・方法が採用されている。
【０００７】
この場合、出願人が開示している装置・方法では、予め設定された動作条件に従って測定処理を実行して、サンプリングデータに基づく信号波形を波形表示部に表示させると共に、その測定処理についての各動作条件の設定値を設定条件表示部に表示させる。また、出願人が開示している装置・方法では、信号波形（波形表示部）および各動作条件の設定値（設定条件表示部）を表示させている状態において、各設定値のうちのいずれかが変更されたときに、設定条件表示部については、変更後の新たな設定値に表示替えされるものの、波形表示部については、変更後の動作条件に従って測定処理が再び実行されるまでは（新たな動作条件に従ってサンプリングデータが取得されるまでは）変更前の動作条件に従って取得されたサンプリングデータに基づく信号波形が表示された状態が維持される。
【０００８】
また、出願人が開示している装置・方法では、設定条件表示部内に表示されている各設定値が、変更前の動作条件、および変更後の動作条件のいずれの設定値であるかを特定することができない。このため、波形表示部（信号波形）と共に信号波形表示画面内に表示されている設定条件表示部内に変更後の動作条件の設定値が表示されている状態において、例えば設定値の変更操作を行った者とは異なる者が、新たな動作条件に従って測定処理が実行される以前にこの信号波形表示画面を見たときに、波形表示部内に表示されている信号波形が、設定条件表示部内に表示されている変更後の動作条件に従って取得されたサンプリングデータに基づくものであると誤認するおそれがある。
【０００９】
また、この種の装置では、表示画面のハードコピーをプリンターによって印刷したり画像データとして出力したりすることができるように構成されている。この場合、信号波形表示画面を直接見たときと同様にして、変更後の新たな動作条件に従って測定処理が実行される以前の信号波形表示画面のハードコピーを見たときにおいても、設定条件表示部内に表示されている各設定値が、変更前の動作条件、および変更後の動作条件のいずれの設定値であるかを特定することはできない。このため、たとえ設定値の変更操作を行った者であったとしても、信号波形表示画面のハードコピーを出力してからある程度の時間が経過した時点でハードコピーを見たときに、波形表示部内に表示されている信号波形が、設定条件表示部内に表示されている変更後の動作条件の設定値に従って取得されたサンプリングデータに基づくものであると誤認するおそれがある。
【００１０】
本発明は、かかる課題に鑑みてなされたものであり、測定結果表示と共に動作条件表示を表示させる際に、その動作条件表示が測定結果表示の基となる測定値を取得したときの動作条件を示しているか否かを特定可能とする測定装置および測定結果表示方法を提供することを主目的とする。
【課題を解決するための手段】
【００１１】
上記目的を達成すべく請求項１記載の測定装置は、設定されている動作条件の内容を示す条件内容表示および当該動作条件の設定項目名を示す項目名表示を相互に関連付けて表示する動作条件表示を、測定結果表示に重ねて、または当該測定結果表示と並べて、当該測定結果表示と共に表示部に表示させる表示制御部を備えた測定装置であって、前記表示制御部は、前記測定結果表示と共に前記動作条件表示を前記表示部に表示させている状態において前記動作条件が変更されたときに、変更後の当該動作条件に対応させて前記条件内容表示を表示替えすると共に、当該動作条件が変更されたことを報知する報知表示を当該測定結果表示および当該動作条件表示と共に当該表示部に表示させる。
【００１２】
また、請求項２記載の測定装置は、請求項１記載の測定装置において、前記表示制御部は、前記動作条件が変更されて前記報知表示を表示させている状態において当該動作条件が当該報知表示を表示させる前の前記動作条件に戻されたときに当該報知表示の表示を終了する。
【００１３】
また、請求項３記載の測定装置は、請求項１または２記載の測定装置において、前記表示制御部は、前記報知表示として、前記測定結果表示および前記動作条件表示の少なくとも一方を前記動作条件が変更されていないときの第１の表示態様とは相違する第２の表示態様で表示させる。
【００１４】
さらに、請求項４記載の測定装置は、請求項３記載の測定装置において、前記表示制御部は、複数の前記動作条件に関する複数の前記項目名表示および複数の前記条件内容表示を前記動作条件表示として表示させている状態において当該複数の動作条件のいずれかが変更されたときに、当該複数の項目名表示のうちの当該いずれかの動作条件に対応する当該項目名表示、および当該複数の条件内容表示のうちの当該いずれかの動作条件に対応する当該条件内容表示の少なくとも一方を前記報知表示として前記第２の表示態様で表示させる。
【００１５】
また、請求項５記載の測定結果表示方法は、設定されている動作条件の内容を示す条件内容表示および当該動作条件の設定項目名を示す項目名表示を相互に関連付けて表示する動作条件表示を、測定結果表示に重ねて、または当該測定結果表示と並べて、当該測定結果表示と共に表示部に表示させている状態において当該動作条件が変更されたときに、変更後の当該動作条件に対応させて前記条件内容表示を表示替えすると共に、当該動作条件が変更されたことを報知する報知表示を当該測定結果表示および当該動作条件表示と共に当該表示部に表示させる。
【００１６】
さらに、請求項６記載の測定結果表示方法は、請求項５記載の測定結果表示方法において、前記動作条件が変更されて前記報知表示を表示させている状態において当該動作条件が当該報知表示を表示させる前の前記動作条件に戻されたときに当該報知表示の表示を終了する。
【発明の効果】
【００１７】
請求項１記載の測定装置、および請求項４記載の測定結果表示方法によれば、動作条件表示を測定結果表示と共に表示させている状態において動作条件が変更されたときに、変更後の動作条件に対応させて動作条件表示における条件内容表示を表示替えすると共に、動作条件が変更されたことを報知する報知表示を表示させることにより、報知表示が表示されていないときには、各条件内容表示が測定結果表示の基となる測定値を取得したときの動作条件を示しており、報知表示が表示されているときには、各条件内容表示が測定結果表示の基となる測定値を取得したときの動作条件とは異なる動作条件であることを確実かつ容易に認識させることができる。
【００１８】
請求項２記載の測定装置、および請求項６記載の測定結果表示方法によれば、動作条件が変更されて報知表示を表示させている状態において報知表示を表示させる前の動作条件に戻されたときに報知表示の表示を終了することにより、動作条件を変更前の動作条件に戻しても報知表示が継続して表示される構成・方法とは異なり、条件内容表示が測定結果表示の基となる測定値を取得したときの動作条件と同じ条件に戻されたにも拘わらず、その条件内容表示が測定結果表示の基となる測定値を取得したときの動作条件とは異なる動作条件であると誤認されることを回避することができる。
【００１９】
請求項３記載の測定装置、およびその測定装置による測定結果表示方法によれば、報知表示として、測定結果表示および動作条件表示の少なくとも一方を動作条件が変更されていないときの第１の表示態様とは相違する第２の表示態様で表示させることにより、動作条件が変更されたときに測定結果表示、各項目名表示および各条件内容表示とは別個に報知表示を表示部に表示させる構成・方法とは異なり、表示部の貴重な表示可能領域が測定結果表示、各項目名表示および各条件内容表示以外の表示要素によって占有される事態を回避できるため、測定結果表示、各項目名表示および各条件内容表示などの視認性を十分に高めることができる。
【００２０】
請求項４記載の測定装置、およびその測定装置による測定結果表示方法によれば、複数の動作条件のいずれかが変更されたときに、複数の項目名表示のうちの変更された動作条件に対応する項目名表示、および複数の条件内容表示のうちの変更された動作条件に対応する条件内容表示の少なくとも一方を報知表示として第２の表示態様で表示させることにより、第１の表示態様で表示されている項目名表示の動作条件は変更されていないこと、および第２の表示態様で表示されている項目名表示の動作条件は変更されていることを直感的に認識させることができる。
【図面の簡単な説明】
【００２１】
【図１】波形記録装置１の構成を示す構成図である。
【図２】波形表示画面１０の一例を示す表示画面図である。
【図３】動作条件の１つを変更した際の波形表示画面１０の一例を示す表示画面図である。
【図４】変更した動作条件に従って測定処理を行った際の波形表示画面１０の一例を示す表示画面図である。
【図５】動作条件の１つを変更した際の波形表示画面１０ａの一例を示す表示画面図である。
【図６】動作条件の１つを変更した際の波形表示画面１０ｂの一例を示す表示画面図である。
【発明を実施するための形態】
【００２２】
以下、測定装置および測定結果表示方法の実施の形態について、添付図面を参照して説明する。
【００２３】
図１に示す波形記録装置１は、「測定装置」の一例であって、後述する「測定結果表示方法」に従い、「測定結果」の一例である信号波形Ｗ（図２参照）を表示させることができるように構成されている。具体的には、波形記録装置１は、測定部２、操作部３、表示部４、制御部５および記憶部６を備えている。
【００２４】
測定部２は、制御部５の制御に従って入力信号をサンプリングすることで測定値データＤ１を生成し、生成した測定値データＤ１を制御部５に出力する。なお、本例の波形記録装置１、およびその波形表示方法では、測定部２が入力信号をサンプリングして測定値データＤ１を生成する処理が「測定処理」に相当する。操作部３は、波形記録装置１の動作条件を設定するための各種操作スイッチや、表示部４の正面側に配設されたタッチパネルを備え、これらに対する操作に応じた操作信号を制御部５に出力する。
【００２５】
表示部４は、制御部５の制御に従い、図２〜４に示す波形表示画面１０などの各種の表示画面を表示する。波形表示画面１０は、図２に示すように、測定部２による測定処理の結果を示す信号波形Ｗを表示する波形表示領域１１と、各動作条件の設定項目名を示す項目名表示２１ａ〜２１ｃ（以下、区別しないときには「項目名表示２１」ともいう）、および設定されている動作条件の内容を示す条件内容表示２２ａ〜２２ｃ（以下、区別しないときには「条件内容表示２２」ともいう）を相互に関連付けて表示する設定値表示領域１２とがそれぞれ規定されている。この場合、本例の波形記録装置１、およびその波形表示方法では、波形表示領域１１に表示される信号波形Ｗが「測定結果表示」に相当すると共に、設定値表示領域１２に表示される各項目名表示２１および各条件内容表示２２が相俟って「動作条件表示」に相当する。
【００２６】
なお、本例では、「測定装置」および「測定結果表示方法」についての理解を容易とするために、「Sampling Speed（サンプリング周期）」、「Storage Length（測定値データＤ１の記録長）」および「Trigger Level （測定値データＤ１の記録を開始する測定値）」との３つの動作条件に関する３つの項目名表示２１および３つの条件内容表示２２を「動作条件表示」として設定値表示領域１２に表示させる例について説明するが、実際の波形記録装置１では、上記の３つの動作条件以外の多数の動作条件（「測定処理」に関する「測定条件」、および測定値データＤ１に基づく信号波形Ｗの表示に関する「表示条件」など）をそれぞれ設定した状態で「測定処理（信号波形Ｗの表示処理）」が行われる。
【００２７】
また、本例の波形記録装置１、およびその波形表示方法では、一例として、波形表示画面１０のほぼ全域に亘って波形表示領域１１が規定されると共に、波形表示領域１１と重なるようにして波形表示領域１１よりも小さい領域に設定値表示領域１２が規定されている。このような構成・方法に代えて、波形表示画面１０内に波形表示領域１１および設定値表示領域１２を互いに重ならないようにして左右方向または上下方向に並べてそれぞれ規定してもよい（図示せず）。
【００２８】
制御部５は、波形記録装置１を総括的に制御する。具体的には、制御部５は、予め設定された動作条件についての動作条件データＤ０に従って測定部２を制御して「測定処理」を実行させると共に、測定部２から出力される測定値データＤ１を記憶部６に記憶させる。また、制御部５は、「表示制御部」に相当し、記憶部６に記憶させた測定値データＤ１に基づいて波形表示画面１０に信号波形Ｗを表示部４に表示させる。さらに、制御部５は、波形表示画面１０を表示させている状態において動作条件の変更操作が行われたときに、変更後の動作条件を動作条件データＤ０として記憶部６に記憶させると共に波形表示画面１０を表示替えする。記憶部６は、制御部５の演算結果や、上記の動作条件データＤ０および測定値データＤ１などを記憶する。
【００２９】
次に、波形記録装置１による信号波形Ｗの表示処理（測定結果表示方法）について、添付図面を参照して説明する。
【００３０】
まず、操作部３を操作することにより、「測定処理」を実行するための動作条件を設定する。この場合、本例の波形記録装置１では、図示しない動作条件設定画面を表示させ、表示されている各設定項目毎に任意の設定値をそれぞれ指定することで動作条件を設定することができるが、本例では、一例として、波形表示領域１１に信号波形Ｗが表示されていない状態の波形表示画面１０（図示せず）を表示部４に表示させ、操作部３（タッチパネル）の操作によって設定値表示領域１２に任意の設定値を入力することで動作条件を設定する。
【００３１】
この際には、一例として、「Sampling Speed：100kHz」、「Storage Length ：20k」および「Trigger Level ：+50.0%」との動作条件がそれぞれ設定され、制御部５は、設定された各動作条件に基づいて動作条件データＤ０を生成して記憶部６に記憶させる。また、制御部５は、図２に示すように、設定値表示領域１２内に、「Sampling Speed」との項目名表示２１ａに関連付けて「100kHz」との条件内容表示２２ａを表示し、「Storage Length」との項目名表示２１ｂに関連付けて「 20k」との条件内容表示２２ｂを表示し、かつ「Trigger Level 」との項目名表示２１ｃに関連付けて「+50.0%」との条件内容表示２２ｃを表示させる。
【００３２】
なお、「測定処理」を実行していないこの時点においては、図２に示す波形表示画面１０とは異なり、波形表示領域１１内には信号波形Ｗが表示されていない状態となっている。また、設定値表示領域１２内の各項目名表示２１および各条件内容表示２２は、一例として、黒色の文字で表示された状態となっている（「第１の表示態様」での表示の一例）。これにより、「測定処理」を開始する準備が整う。
【００３３】
次いで、操作部３を操作して「測定処理」の開始を指示する。この際に、制御部５は、記憶部６に記憶させた動作条件データＤ０に従って測定部２を制御して「測定処理」を実行させる。具体的には、制御部５は、測定部２を制御して入力信号についてのサンプリングを開始させる。この際には、設定されている「Sampling Speed：100kHz」との動作条件に従ってサンプリングが行われ、測定部２から測定値データＤ１が順次出力される。また、制御部５は、波形表示画面１０における波形表示領域１１内に各測定値データＤ１の値を順次プロットすることで信号波形Ｗを表示させると共に、測定値データＤ１の値が「Trigger Level ：+50.0%」との条件を満たすレベルになったか否かを監視する。
【００３４】
さらに、測定値データＤ１の値が、その時点において選択されている測定レンジの測定可能範囲内における「＋５０％」を超える状態となったときに、制御部５は、設定されているトリガーレベルを超えたと判別する。この際に、制御部５は、一例として、トリガーレベルを超えた測定値データＤ１を先頭の測定値データＤ１として、「Storage Length： 20k」との動作条件に従って２０，０００個（２０，０００値分）の測定値データＤ１を記憶部６に記憶させる。また、２０，０００個の測定値データＤ１の記憶が完了したときに、制御部５は、設定された動作条件に基づく「測定処理」が完了したと判別し、測定部２を制御して「測定処理」を終了させる。
【００３５】
この際に、本例の波形記録装置１および波形表示方法では、「測定処理」が終了した時点において、図２に示すように、波形表示画面１０には、記憶部６に記憶されている測定値データＤ１に対応する信号波形Ｗが波形表示領域１１内に表示されると共に、その時点において設定されている動作条件を示す各項目名表示２１および各条件内容表示２２が設定値表示領域１２内に表示された状態となっている（「測定結果表示と共に動作条件表示を表示部に表示させている状態」の一例であって、「複数の動作条件に関する複数の項目名表示および複数の条件内容表示を動作条件表示として表示させている状態」の一例）。この場合、設定されている動作条件に従って「測定処理」を完了し、その「測定処理」によって取得された測定値データＤ１に基づく信号波形Ｗが表示されているこの時点においては、設定値表示領域１２内に表示されている各条件内容表示２２が、波形表示領域１１内に表示されている信号波形Ｗを取得した「測定処理」時の動作条件を示した状態となっている。
【００３６】
一方、例えば、波形表示領域１１内に表示されている信号波形Ｗを時間軸方向（本例では、各図における左右方向）にスクロールさせて測定結果を確認した利用者が、測定値データＤ１のデータ量が少な過ぎる（記録長が短過ぎる）と判断したときには、操作部３（タッチパネル）を操作して条件内容表示２２ｂの値を大きな値に変更する。この際には、一例として、上記の「測定処理」の実行時に設定されていた「 20k」との設定値を「100k」との設定値に変更する（「複数の動作条件のいずれかが変更されたとき」の一例）。
【００３７】
この際に、制御部５は、変更後の「100k」との設定値（変更後の動作条件）に対応させて動作条件データＤ０を変更すると共に、図３に示すように、条件内容表示２２ｂを「 20k」から「100k」に表示替えする。また、制御部５は、変更操作前まで黒色文字で表示していた項目名表示２１ｂを赤色文字に表示替えする（「複数の項目名表示のうちの変更された動作条件に対応する項目名表示、および複数の条件内容表示のうちの変更された動作条件に対応する条件内容表示の少なくとも一方」としての「変更された動作条件に対応する項目名表示」を「動作条件が変更されたことを報知する報知表示」として「第２の表示態様」で表示させた状態の一例）。なお、同図では、黒色文字から赤色文字に表示替えされた「Storage Length」との文字列（項目名表示２１ｂ）を黒色背景上に白色文字で表現している。
【００３８】
この場合、本例の波形記録装置１、およびその波形表示方法では、上記したように、信号波形Ｗ、各項目名表示２１および各条件内容表示２２を波形表示画面１０に表示させている状態において、各動作条件のうちのいずれかが変更されたときに、変更された動作条件に対応する項目名表示２１が、変更前の黒色文字で表示された状態（第１の表示態様）から赤色文字で表示された状態（第２の表示態様）に変化する。
【００３９】
このため、例えば、上記の変更操作を行った者とは異なる者（「測定処理」の完了後に動作条件が変更されたことを知らない者）に対しても、波形表示画面１０を見たときに、各項目名表示２１のうちのいずれかが赤色文字で表示されているときには、その項目名表示２１の動作条件が「測定処理」の完了後に変更されたこと、すなわち、その時点において波形表示領域１１に表示されている信号波形Ｗが、設定値表示領域１２に表示されている動作条件とは異なる動作条件に従って取得された（測定された）測定値データＤ１に基づくものであることを直感的に認識させることが可能となっている。
【００４０】
また、例えば、変更操作を行った者とは異なる者が、動作条件が変更される前に波形表示画面１０を見たときには、設定値表示領域１２内の項目名表示２１のすべてが黒色文字で表示された状態となっている。このため、各項目名表示２１の動作条件が「測定処理」の完了後に変更されていないときには、その時点において波形表示領域１１に表示されている信号波形Ｗが、設定値表示領域１２に表示されている動作条件に従って取得された（測定された）測定値データＤ１に基づくものであることを直感的に認識させることが可能となっている。
【００４１】
さらに、本例の波形記録装置１では、測定部２を操作することにより、図示しないプリンターによって波形表示画面１０等のハードコピーを印刷したり、波形表示画面１０の画像データを記憶部６に記憶させたりすることが可能となっている。この場合、例えば、上記の測定処理の完了後に、測定作業の記録のために、図２に示す波形表示画面１０、または図３に示す波形表示画面１０のハードコピーを出力し、そのハードコピーを後日参照したときに（利用者が、「測定処理」の完了後に動作条件を変更したか否かを忘れてしまっている状態の一例）、本例の波形記録装置１、およびその波形表示方法では、各項目名表示２１の文字色に基づき、動作条件の変更操作後のハードコピーであるか、動作条件の変更操作が行われていない状態のハードコピーであるかを特定することが可能となっている。
【００４２】
具体的には、各項目名表示２１のうちのいずれかが赤色文字のときには、波形表示領域１１に表示されている信号波形Ｗが、設定値表示領域１２に表示されている動作条件とは異なる動作条件に従って取得された（測定された）測定値データＤ１に基づくものであり、各項目名表示２１のすべてが黒色文字のときには、波形表示領域１１に表示されている信号波形Ｗが、設定値表示領域１２に表示されている動作条件に従って取得された（測定された）測定値データＤ１に基づくものであることを直感的に認識させることが可能となっている。
【００４３】
一方、本例の波形記録装置１、およびその波形表示方法では、「測定処理」の完了後に動作条件の変更操作が行われ、図３に示すように、変更された動作条件に対応する項目名表示２１（この例では、項目名表示２１ｂ）が赤色文字に表示替えされた状態において測定部２の操作によって「測定処理」の開始を指示されたときに、制御部５は、変更された新たな動作条件を記録した動作条件データＤ０に従って測定部２を制御して「測定処理」を実行させる。なお、「測定処理」の手順については、前述した「測定処理」のときと同様のため、詳細な説明を省略する。
【００４４】
この場合、本例の波形記録装置１、およびその波形表示方法では、新たな動作条件に従って「測定処理」を開始した時点において、図４に示すように、「報知表示」として赤色文字で表示していた項目名表示２１（「第２の表示態様」での表示：本例では、項目名表示２１ｂ）を黒色文字に表示替えする（「第１の表示態様」での表示に表示替えすることで「報知表示」を終了する例）。したがって、同図に示す波形表示画面１０やそのハードコピーを見た者に対して、各項目名表示２１の動作条件が「測定処理」の完了後に変更されていないこと、すなわち、波形表示領域１１に表示されている信号波形Ｗが、設定値表示領域１２に表示されている動作条件に従って取得された（測定された）測定値データＤ１に基づくものであることを直感的に認識させることが可能となっている。
【００４５】
また、上記の例とは相違するが、例えば、「測定処理」の完了後に動作条件の変更操作が行われ、図３に示すように、変更された動作条件に対応する項目名表示２１（この例では、項目名表示２１ｂ）が赤色文字に表示替えされた状態（「報知表示」としての「第２の表示態様」で表示している状態）において、測定部２による「測定処理」が開始される前に再び動作条件が変更されて、項目名表示２１が赤色文字に表示替えされる前の動作条件（すなわち、「測定処理」の実行時に設定されていた動作条件）に戻されたときに、制御部５は、図２に示すように、条件内容表示２２を変更後の設定値（「測定処理」の実行時に設定されていた値）に表示替えすると共に、対応する項目名表示２１を黒色文字に表示替えする（「第１の表示態様」での表示に表示替えすることで「報知表示」を終了する例）。これにより、複数回の変更操作によって、設定値表示領域１２に表示されている動作条件が、測定値データＤ１の取得時（「測定処理」の実行時）と同じ動作条件のときには、結果として、動作条件が変更されなかったときと同様の波形表示画面１０が表示された状態となる。
【００４６】
このように、この波形記録装置１、および波形記録装置１による測定結果表示方法によれば、「動作条件表示（各項目名表示２１および各条件内容表示２２）」を「測定結果表示（信号波形Ｗ）」と共に表示させている状態において動作条件が変更されたときに、変更後の動作条件に対応させて条件内容表示２２を表示替えすると共に、動作条件が変更されたことを報知する「報知表示（本例では、表示態様を変化させて黒色文字から赤色文字に表示替えした項目名表示２１）」を表示させることにより、「報知表示」が表示されていないときには、各条件内容表示２２が信号波形Ｗの基となる測定値データＤ１を取得したときの動作条件を示しており、「報知表示」が表示されているときには、各条件内容表示２２が信号波形Ｗの基となる測定値データＤ１を取得したときの動作条件とは異なる動作条件であることを確実かつ容易に認識させることができる。
【００４７】
また、この波形記録装置１、および波形記録装置１による測定結果表示方法によれば、動作条件が変更されて「報知表示」を表示させている状態（本例では、項目名表示２１を赤色文字で表示させている状態）において「報知表示」を表示させる前の動作条件に戻されたときに「報知表示」の表示を終了する（項目名表示２１を黒色文字に戻す）ことにより、動作条件を変更前の動作条件に戻しても「報知表示」が継続して表示される構成・方法とは異なり、各条件内容表示２２が信号波形Ｗの基となる測定値データＤ１を取得したときの動作条件と同じ条件に戻されたにも拘わらず、その条件内容表示２２が信号波形Ｗの基となる測定値データＤ１を取得したときの動作条件とは異なる動作条件であると誤認されることを回避することができる。
【００４８】
また、この波形記録装置１、および波形記録装置１による測定結果表示方法によれば、「報知表示」として、「測定結果表示」および「動作条件表示」の少なくとも一方（本例では、「動作条件表示」としての項目名表示２１）を、動作条件が変更されていないときの「第１の表示態様（本例では、黒色表示）」とは相違する「第２の表示態様（本例では、赤色表示）」で表示させることにより、動作条件が変更されたときに信号波形Ｗ、各項目名表示２１および各条件内容表示２２とは別個に「報知表示」を表示部４に表示させる構成・方法とは異なり、表示部４の貴重な表示可能領域が信号波形Ｗ、各項目名表示２１および各条件内容表示２２以外の表示要素によって占有される事態を回避できるため、信号波形Ｗ、各項目名表示２１および各条件内容表示２２などの視認性を十分に高めることができる。
【００４９】
さらに、この波形記録装置１、および波形記録装置１による測定結果表示方法によれば、複数の動作条件のいずれかが変更されたときに、複数の項目名表示２１のうちの変更された動作条件に対応する項目名表示２１、および複数の条件内容表示２２のうちの変更された動作条件に対応する条件内容表示２２の少なくとも一方（本例では、項目名表示２１）を「報知表示」として「第２の表示態様」で表示させることにより、「第１の表示態様」で表示されている項目名表示２１の動作条件は変更されていないこと、および「第２の表示態様」で表示されている項目名表示２１の動作条件は変更されていることを直感的に認識させることができる。
【００５０】
なお、「測定装置」の構成、および「測定結果表示方法」の内容については、上記の波形記録装置１の構成、および波形記録装置１による測定結果表示方法の内容に限定されない。例えば、信号波形Ｗ（波形表示領域１１）、各項目名表示２１および各条件内容表示２２（設定値表示領域１２）を波形表示画面１０に表示させている状態においていずれかの動作条件が変更されたときに、「報知表示」として、変更された動作条件に対応する項目名表示２１を「第２の表示態様」で表示させる構成・方法を例に挙げて説明したが、「報知表示」は上記の例に限定されない。
【００５１】
一例として、「報知表示」として、項目名表示２１を「第２の表示態様」で表示させる構成・方法に代えて（または、そのような構成・方法に加えて）、「報知表示」として、変更された動作条件に対応する条件内容表示２２を「第２の表示態様」で表示させる構成・方法を採用することができる。このような構成・方法を採用した「測定装置」および「測定結果表示方法」においても、上記した波形記録装置１、および波形記録装置１による測定結果表示方法と同様にして、各条件内容表示２２が信号波形Ｗの基となる測定値データＤ１を取得したときの動作条件と一致しているか否かを確実かつ容易に認識させることができるという効果に加え、表示部４の貴重な表示可能領域が信号波形Ｗ、各項目名表示２１および各条件内容表示２２以外の表示要素によって占有される事態を回避できるため、信号波形Ｗ、各項目名表示２１および各条件内容表示２２などの視認性を十分に高めることができる。
【００５２】
なお、「報知表示」として項目名表示２１や条件内容表示２２を「第１の表示態様」から「第２の表示態様」に表示替えするとの構成・方法は、上記の例のように、「第１の表示態様」における表示色とは異なる「第２の表示態様」の表示色でこれらを表示させる例に限定されず、項目名表示２１や条件内容表示２２の文字の太さ、文字の大きさ、字形（フォント）および文字の背景色を変化させる構成・方法を採用することができる。
【００５３】
また、図５に示す波形表示画面１０ａのように、信号波形Ｗ（波形表示領域１１）、各項目名表示２１および各条件内容表示２２（設定値表示領域１２）を波形表示画面１０に表示させている状態においていずれかの動作条件が変更されたときに、「報知表示」として、信号波形Ｗを「第２の表示態様」で表示させる構成・方法を採用することもできる。なお、同図に示す波形表示画面１０ａの例では、信号波形Ｗを「第１の表示態様」で表示していた状態よりも太い線で表示させる表示態様を「第２の表示態様」としている。
【００５４】
このような構成・方法を採用した「測定装置」および「測定結果表示方法」においても、上記した波形記録装置１、および波形記録装置１による測定結果表示方法と同様にして、各条件内容表示２２が信号波形Ｗの基となる測定値データＤ１を取得したときの動作条件と一致しているか否かを確実かつ容易に認識させることができるという効果に加え、表示部４の貴重な表示可能領域が信号波形Ｗ、各項目名表示２１および各条件内容表示２２以外の表示要素によって占有される事態を回避できるため、信号波形Ｗ、各項目名表示２１および各条件内容表示２２などの視認性を十分に高めることができる。
【００５５】
なお、「報知表示」として信号波形Ｗを「第１の表示態様」から「第２の表示態様」に表示替えするとの構成・方法は、上記の例のように、「第１の表示態様」における太さとは異なる「第２の表示態様」の太さで信号波形Ｗを表示させる例に限定されず、信号波形Ｗの色、線種および背景色を変化させる構成・方法を採用することができる。
【００５６】
さらに、一例として、「第１の表示態様」での表示時に点灯表示させた項目名表示２１や条件内容表示２２を「第２の表示態様」での表示時に点滅表示させたり、「第１の表示態様」での表示時に点灯表示させた信号波形Ｗを「第２の表示態様」での表示時に点滅表示させたりする構成・方法を採用することもできる。このような構成・方法を採用した場合には、表示画面のハードコピーを参照したときには、各条件内容表示２２が信号波形Ｗの基となる測定値データＤ１を取得したときの動作条件と一致しているか否かを認識させることは困難であるが、表示部４の表示画面を直接見たときには、各条件内容表示２２が信号波形Ｗの基となる測定値データＤ１を取得したときの動作条件と一致しているか否かを確実かつ容易に認識させることができる。
【００５７】
また、図６に示す波形表示画面１０ｂのように、信号波形Ｗ（波形表示領域１１）、各項目名表示２１および各条件内容表示２２（設定値表示領域１２）を表示部４に表示させている状態においていずれかの動作条件が変更されたときに、動作条件が変更されたことを報知する報知表示１３（「報知表示」の一例：本例では、「change」との文字）を表示させる構成・方法を採用することもできる。なお、「報知表示」は、上記の報知表示１３のような文字列に限定されず、任意の記号や図形を「報知表示」として表示させることができる。このような構成・方法を採用した場合においても、報知表示１３が表示されていないときには、各条件内容表示２２が信号波形Ｗの基となる測定値データＤ１を取得したときの動作条件を示しており、報知表示１３が表示されているときには、各条件内容表示２２が信号波形Ｗの基となる測定値データＤ１を取得したときの動作条件とは異なる動作条件であることを確実かつ容易に認識させることができる。
【００５８】
さらに、「測定結果表示」の一例として信号波形Ｗを表示部４（波形表示画面１０，１０ａ，１０ｂ）に表示させる構成・方法を例に挙げて説明したが、測定結果（測定値）を示す数値や、測定結果を示す記号および図形などを「測定結果表示」として表示させる構成・方法を採用することもできる。また、操作部３の操作によって動作条件が変更されたときに「報知表示」を表示させる構成・方法を例に挙げて説明したが、外部装置からの制御信号に応じて動作条件が変更されたときに「報知表示」を表示させる構成・方法を採用することもできる。加えて、表示部４を一体的に備えた波形記録装置１の構成・波形表示方法を例に挙げて説明したが、外部装置としての「表示部」に「測定結果表示」および「動作条件表示」を表示させる構成・方法を採用することもできる。
【符号の説明】
【００５９】
１  波形記録装置
２  測定部
３  操作部
４  表示部
５  制御部
６  記憶部
１０，１０ａ，１０ｂ  波形表示画面
１１  波形表示領域
１２  設定値表示領域
１３  報知表示
２１ａ〜２１ｃ  項目名表示
２２ａ〜２２ｃ  条件内容表示
Ｄ０  動作条件データ
Ｄ１  測定値データ
Ｗ  信号波形
【図１】
0006534541.tif 000002
【図２】
0006534541.tif 000003
【図３】
0006534541.tif 000004
【図４】
0006534541.tif 000005
【図５】
0006534541.tif 000006
【図６】
0006534541.tif 000007